(57)【要約】【課題】  個人情報を開示しない範囲で個人と個人の続柄を表示したＤＮＡプロフィール表示体及びＤＮＡプロフィールの表示方法の提供。【解決手段】  個人のＤＮＡプロフィールは、ＳＴＲプロファイルと、ＳＴＲマーカーとのを対応付けることよって確定する。ＤＮＡプロフィール表示体である鑑定書１０１には、ＳＴＲプロファイル１１１の少なくとも一部が予め定められた所定の順序又は無作為で表示されているが、ＳＴＲマーカーは表示されていない。又、個人のＤＮＡプロフィールを色又は形により見分けることで、個人情報のＤＮＡプロフィールを開示せず、個人と個人の続柄とを示す方法を提供する。これにより、視覚的にＤＮＡプロフィールの繋がりを表現することができる。【選択図】図３
2020203420.tif 000002
【特許請求の範囲】
【請求項１】
被験者のＤＮＡプロフィールの一部を表示するＤＮＡプロフィール表示体であって、
前記被験者の前記ＤＮＡプロフィールは、ＳＴＲマーカーと、ＳＴＲプロファイルと、を互いに対応付けることにより確定するものであって、
前記ＳＴＲプロファイルの少なくとも一部を表示する表示部を有し、
前記表示部に表示された前記ＳＴＲプロファイルは、前記ＳＴＲマーカーの位置関係に対応するように予め定められた所定の順序で、又は無作為で表示され、
前記表示部には、前記ＳＴＲマーカーが表示されていないことを特徴とするＤＮＡプロフィール表示体。
【請求項２】
前記ＳＴＲマーカーに対応する前記ＳＴＲプロファイルの少なくとも一部を表示する第１表示部と、
特定ＳＴＲマーカーに対応する比較ＳＴＲプロファイルの少なくとも一部を表示する第２表示部と、を有し、
前記ＳＴＲプロファイルは、特定ＳＴＲを有し、
前記比較ＳＴＲプロファイルに前記特定ＳＴＲと一致する一致ＳＴＲが存在する場合には、
前記第１表示部において、前記特定ＳＴＲは前記一致ＳＴＲと視覚的対応付けによって表示され、
前記第２表示部において、前記一致ＳＴＲは前記特定ＳＴＲと視覚的対応付けによって表示され、
前記比較ＳＴＲプロファイルに前記一致ＳＴＲが存在しない場合には、前記比較ＳＴＲプロファイルと、前記ＳＴＲプロファイルとは、異なる視覚的対応付けによって表示され、
前記第１表示部及び前記第２表示部には前記ＳＴＲマーカー及び前記特定ＳＴＲマーカーは表示されないことを特徴とする請求項１に記載のＤＮＡプロフィール表示体。
【請求項３】
前記被験者と続柄関係にある少なくとも１人の関係者の前記ＳＴＲプロファイルである続柄ＳＴＲプロファイルの少なくとも一部を表示する関係者表示部をさらに有し、
前記被験者の前記ＳＴＲプロファイルと、前記続柄ＳＴＲプロファイルと、は予め定められた所定の順序で、又は無作為で表示され、
前記被験者の前記ＳＴＲプロファイルが前記被験者から前記関係者に遺伝した特定ＳＴＲを有するとともに前記続柄ＳＴＲプロファイルが前記被験者から前記関係者に遺伝した遺伝ＳＴＲを有している場合には、前記表示部において、前記特定ＳＴＲは前記遺伝ＳＴＲと視覚的対応付けによって表示されるとともに、前記関係者表示部において、前記遺伝ＳＴＲは前記特定ＳＴＲと視覚的対応付けによって表示され、
前記被験者の前記ＳＴＲプロファイルは前記特定ＳＴＲを有しておらず、且つ前記続柄ＳＴＲプロファイルは前記遺伝ＳＴＲを有していない場合には、前記ＳＴＲプロファイルと前記続柄ＳＴＲプロファイルは異なる視覚的対応付けによって表示され、
前記表示部及び前記関係者表示部には、前記ＳＴＲマーカーが表示されていないことを特徴とする請求項１に記載のＤＮＡプロフィール表示体。
【請求項４】
前記表示部には識別情報が表示され、
前記識別情報に基づいて、前記ＳＴＲプロファイルと、前記ＳＴＲマーカーと、の対応付けにより前記被験者の前記ＤＮＡプロフィールを特定可能であることを特徴とする請求項１から３のいずれか１項に記載のＤＮＡプロフィール表示体。
【請求項５】
被験者のＤＮＡプロフィールを表示するＤＮＡプロフィールの表示方法であって、
前記被験者の前記ＤＮＡプロフィールは、ＳＴＲマーカーと、ＳＴＲプロファイルと、を互いに対応付けることにより確定するものであって、
前記ＳＴＲプロファイルの少なくとも一部を表示し、前記ＳＴＲマーカーは表示しないことを特徴とするＤＮＡプロフィールの表示方法。
【発明の詳細な説明】
【技術分野】
【０００１】
本発明はＤＮＡプロフィール表示体及びＤＮＡプロフィールの表示方法に関する。
【背景技術】
【０００２】
従来より、個人を特定するための情報としてＤＮＡプロフィールがある。遺伝子の物質的な本体はＤＮＡ（ｄｅｏｘｙｒｉｂｏｎｕｃｌｅｉｃ  ａｃｉｄ）であって人間の体を形づくる細胞のすべてに存在し、糖、リン酸、及びアデニン（Ａ）、チミン（Ｔ）、グアニン（Ｇ）、シトシン（Ｃ）という４種類の塩基から構成される。この４種類の塩基の組み合わせは遺伝情報となって、親から子へ、さらに子から孫へと受け継がれる。
【０００３】
ＤＮＡの中には、１−５塩基程度の長さの同じ塩基配列が繰り返し並んでいる領域が多数存在しており、この反復数はショートタンデムリピート（Ｓｈｏｒｔ  Ｔａｎｄｅｍ  Ｒｅｐｅａｔ）と呼ばれる。このショートタンデムリピート（ＳＴＲプロファイル）を特許文献１の技術で測定することにより、個人のＤＮＡ型鑑定や親子鑑定を行うＳＴＲ法が知られている。ＳＴＲ法では、遺伝子座であるＳＴＲマーカーと、ＳＴＲプロファイルと、を対応づけることにより、個人のＤＮＡプロフィールが確定する。
【０００４】
個人のＤＮＡ鑑定では、被験者のＤＮＡプロフィールと、検体である毛髪等のＤＮＡプロフィールとを比較することで、検体が被験者ものであるかを鑑定している。親子鑑定では、子はＳＴＲプロファイルの情報を生物学的父親と生物学的母親から確実に受け継ぐこととなっており、３者におけるＳＴＲプロファイルの関係性を調べることで親子関係を認定している。
【先行技術文献】
【特許文献】
【０００５】
【特許文献１】特開２００７−２６７６４４号
【発明の概要】
【発明が解決しようとする課題】
【０００６】
ＳＴＲ法によって得られたＤＮＡプロフィールは個人を特定することができる個人情報であり、個人情報保護法に定める個人情報に該当する。近年のプライバシー意識の高まりから、個人情報を誰もが閲覧できる状態に置くことに抵抗がある一般消費者が多い。また、親子鑑定の鑑定結果においても、一見して父親、母親、及び子のＤＮＡプロフィールが把握されてしまうため、外部に漏れないように厳重に管理する必要があった。
【０００７】
他方、親子鑑定では親子であることの証明としてＳＴＲ法によるＤＮＡ型鑑定を行っており、この鑑定結果を用いて新たな商品開発が進められている。当該商品においては、血縁関係にあることの証を示す内容であるＤＮＡプロフィールを表示することが望ましいが、個人情報保護法の観点から、全てのＤＮＡプロフィールを表示することは難しい。また、商品に全てのＤＮＡプロフィールが表示されることは親子鑑定の当事者においても拒否感がある可能性が高い。
【０００８】
同様に、個人においても、例えば、自らが生きた証として墓石等にＤＮＡプロフィールそのものを刻印することがあるが、これも個人情報がすべて開示されてしまうこととなり望ましい状態とは言えなかった。
【０００９】
そこで、本発明は、個人情報を開示しない範囲で個人と個人の続柄を表示したＤＮＡプロフィール表示体及びＤＮＡプロフィールの表示方法を提供することを目的とする。
【課題を解決するための手段】
【００１０】
上記課題を解決するために第１の発明は、被験者のＤＮＡプロフィールの一部を表示するＤＮＡプロフィール表示体であって、前記被験者の前記ＤＮＡプロフィールは、ＳＴＲマーカーと、ＳＴＲプロファイルと、を互いに対応付けることにより確定するものであって、前記ＳＴＲプロファイルの少なくとも一部を表示する表示部を有し、前記表示部に表示された前記ＳＴＲプロファイルは、前記ＳＴＲマーカーの位置関係に対応するように予め定められた所定の順序で、又は無作為で表示され、前記表示部には、前記ＳＴＲマーカーが表示されていないことを特徴とするＤＮＡプロフィール表示体を提供している。
【００１１】
第２の発明では、第１の発明に記載されたＤＮＡプロフィール表示体であって、前記ＳＴＲマーカーに対応する前記ＳＴＲプロファイルの少なくとも一部を表示する第１表示部と、前記特定ＳＴＲマーカーに対応する比較ＳＴＲプロファイルを表示する第２表示部と、を有し、前記ＳＴＲプロファイルは、特定ＳＴＲを有し、前記比較ＳＴＲプロファイルに前記特定ＳＴＲと一致する比較ＳＴＲが存在する場合には、前記第１表示部において、前記特定ＳＴＲは前記比較ＳＴＲと視覚的対応付けによって表示され、前記第２表示部において、前記比較ＳＴＲは前記特定ＳＴＲと視覚的対応付けによって表示され、前記比較ＳＴＲプロファイルに前記一致ＳＴＲが存在しない場合には、前記比較ＳＴＲプロファイルと、前記ＳＴＲプロファイルとは、異なる視覚的対応付けによって表示され、前記第１表示部及び前記第２表示部には前記ＳＴＲマーカー及び前記特定ＳＴＲマーカーは表示されないことを特徴としている。
【００１２】
ここで言う「視覚的対応付けによって表示」とは、例えば、特定ＳＴＲと対応する一致ＳＴＲとにおいて、文字色、フォント、飾り文字、文字サイズなどが共通であることをいい、「異なる視覚的対応付けによって表示」とは、比較ＳＴＲプロファイルとＳＴＲプロファイルとにおいて、文字色、フォント、飾り文字、文字サイズなどが異なることをいう。
【００１３】
第３の発明では、第１の発明に記載されたＤＮＡプロフィール表示体であって、前記被験者と続柄関係にある少なくとも１人の関係者の前記ＳＴＲプロファイルである続柄ＳＴＲプロファイルの少なくとも一部を表示する関係者表示部をさらに有し、前記被験者の前記ＳＴＲプロファイルと、前記続柄ＳＴＲプロファイルと、は予め定められた所定の順序で、又は無作為で表示され、前記被験者の前記ＳＴＲプロファイルが前記被験者から前記関係者に遺伝した特定ＳＴＲを有するとともに前記続柄ＳＴＲプロファイルは、前記被験者から前記関係者に遺伝した遺伝ＳＴＲを有している場合には、前記表示部において、前記特定ＳＴＲは前記遺伝ＳＴＲと視覚的対応付けによって表示されるとともに、前記血縁者表示部において、前記遺伝ＳＴＲは前記特定ＳＴＲと視覚的対応付けによって表示され、前記被験者の前記ＳＴＲプロファイルは前記特定ＳＴＲを有しておらず、且つ前記続柄ＳＴＲプロファイルは前記遺伝ＳＴＲを有していない場合には、前記ＳＴＲプロファイルと前記続柄ＳＴＲプロファイルは異なる視覚的対応付けによって表示され、前記表示部及び前記関係者表示部には、前記ＳＴＲマーカーが表示されていないことを特徴としている。
【００１４】
第４の発明では、第１の発明から第３の発明のいずれかに記載されたＤＮＡプロフィール表示体であって、前記表示部には識別情報が表示され、前記識別情報に基づいて、前記ＳＴＲプロファイルと、前記ＳＴＲマーカーと、の対応付けにより前記被験者のＤＮＡプロフィールを特定可能であることを特徴としている。
【００１５】
第５の発明では、被験者のＤＮＡプロフィールを表示するＤＮＡプロフィールの表示方法であって、前記被験者の前記ＤＮＡプロフィールは、ＳＴＲマーカーと、ＳＴＲプロファイルと、を互いに対応付けることにより確定するものであって、前記ＳＴＲプロファイルの少なくとも一部を表示し、前記ＳＴＲマーカーは表示しないことを特徴とするＤＮＡプロフィールの表示方法を提供している。
【発明の効果】
【００１６】
第１の発明によると、表示部にはＳＴＲプロファイルの少なくとも一部が表示されるがＳＴＲマーカーは表示されていないため、表示部からはＳＴＲプロファイルとＳＴＲマーカーとの対応関係が不明である。これにより、個人の全てのＤＮＡプロフィールを公開することなく、ＤＮＡプロフィールの一部をＤＮＡプロフィール表示体に表示することができる。
【００１７】
個人の特定を目的として行われるＳＴＲ解析結果を表示する従来の表記方法では、個人の１５種類前後のＳＴＲマーカーとＳＴＲプロファイルとを並べて表記するため、一見して全てのＤＮＡプロフィールが把握されてしまう。よって、個人情報の扱いとなり公表することができない。しかし、本件発明によるＤＮＡプロフィール表示体ではＳＴＲマーカーを表示していないため、個人情報の流出を抑制することができる。さらに、ＳＴＲプロファイルはＳＴＲマーカーと対応付けて、予め定められた所定の順序で又は無作為で表示されているため、ＳＴＲプロファイルと、別途用意したＳＴＲマーカーと、を対応付けることにより、ＤＮＡプロフィールを特定することができる。
【００１８】
第２の発明によると、第１表示部と第２表示部において特定ＳＴＲと一致ＳＴＲとが視覚的対応付けによって表示されているため、一見して第１表示部に表示されているＳＴＲプロファイルと第２表示部に表示されている比較ＳＴＲプロファイルとの一致性を把握することができる。例えば、個人のＤＮＡプロフィールと、ある毛髪などから採取されたＤＮＡプロフィールと、を比較して当該毛髪が個人のＤＮＡプロフィールと一致するか否か等の報告書を作成する際、本件発明ではＳＴＲマーカーが表示されていないためＤＮＡプロフィールをすべて明らかにすることなくＳＴＲプロファイルの一致性を確認することができる。
【００１９】
第３の発明によると、表示部では特定ＳＴＲと遺伝ＳＴＲとが視覚的対応付けによって表示されるとともに関係者表示部では遺伝ＳＴＲと特定ＳＴＲとが視覚的対応付けによって表示されるため、一見して被験者と関係者とが続柄関係にあることがわかる。これにより、続柄関係にあるというＤＮＡ型鑑定の結果を、ＤＮＡプロフィール表示体として、アルバム、家系図、インテリア用品、ファッションアイテム、被服、時計、墓石、名刺等に表示することができる。さらに、特定ＳＴＲ及び遺伝ＳＴＲが存在しない場合にはＳＴＲプロファイルと続柄ＳＴＲプロファイルとが異なる視覚的対応付けによって表示されるため、一見して被験者と関係者とが血縁関係にないことが把握される。
【００２０】
第４の発明によると、表示部に識別情報が表示されているため、たとえＤＮＡプロフィール表示体にＳＴＲマーカーが表示されていなくても、識別情報に基づいてＳＴＲマーカーに関する情報と組み合わせることで、被験者のＤＮＡフィールを再構築することができ、被験者のＤＮＡプロフィールを確認することができる。
【００２１】
第５の発明によると、ＳＴＲプロファイルの少なくとも一部が表示されるがＳＴＲマーカーは表示されないため、ＳＴＲプロファイルとＳＴＲマーカーとの対応関係が不明である。これにより、個人の全てのＤＮＡプロフィールを公開することなく、ＤＮＡプロフィールをＤＮＡプロフィール表示体に表示する方法を提供することができる。
【００２２】
本発明によると個人情報を開示しない範囲で個人と個人の続柄を表示したＤＮＡプロフィール表示体及びＤＮＡプロフィールの表示方法することができる。
【図面の簡単な説明】
【００２３】
【図１】本発明の第１実施の形態によるＤＮＡプロフィール表示体の親子鑑定レポート。
【図２】本発明の第１の実施の形態によるＤＮＡプロフィール表示体。
【図３】本発明の第２の実施の形態によるＤＮＡプロフィール表示体。
【図４】本発明の第３の実施の形態によるＤＮＡプロフィール表示体。
【図５】本発明の第４の実施の形態によるＤＮＡプロフィール表示体。
【発明を実施するための形態】
【００２４】
本発明の第１の実施の形態によるＤＮＡプロフィール表示体及びＤＮＡプロフィール表示方法を図１及び図２に基づいて説明する。図１は、ＳＴＲ法によって得られた親子鑑定レポート１０である。
【００２５】
本実施の形態における親子鑑定では、ＤＮＡマーカーであるＳＴＲ（縦列型反復配列）を用いる。ＤＮＡマーカーとは個体間の差異を調べることができる特定のＤＮＡ配列を示し、ＳＴＲとは各人が特異的に持つ２〜５塩基の単純な繰り返しからなるＤＮＡの領域である。
【００２６】
親子鑑定では、父親１と、母親２と、子３と、の各人の口腔上皮、血液、精液、毛髪、歯ブラシ、爪、耳垢などから得られたＤＮＡを用いて、被験者同士のＳＴＲパターンを比較解析することにより、図１に示す親子鑑定レポート１０を得る。父親１及び母親は本発明の被験者に相当し、子３は本発明の関係者に相当する。場合によっては父親と子３だけ、又は母親と子だけの検査も可能である。
【００２７】
親子鑑定レポート１０では、ＳＴＲマーカー４と、父親１の第１ＳＴＲプロファイル１１と、母親２の第２ＳＴＲプロファイル２１と、子３の第３ＳＴＲプロファイル３１と、が互いに対応付けて表示される。ＳＴＲマーカー４とは遺伝子座（Ｌｏｃｕｓ）に関する情報であって、ＳＴＲプロファイルとはＳＴＲマーカー４におけるＤＮＡの繰り返し回数である。ＳＴＲプロファイルは、一般に１〜４０の範囲の数値となっている。Ｎｏ．１のＳＴＲマーカー４であるＤ３Ｓ１３５８においては、父親１の第１ＳＴＲプロファイル１１である１４／１６型を自己の父親と母親から受け継いでいる。同様に、母親２の第２ＳＴＲプロファイル２１である１５／１７型を父親と母親から受け継いでいる。第１ＳＴＲプロファイル１１及び第２ＳＴＲプロファイル２１は本発明のＳＴＲプロファイルに相当し、第３ＳＴＲプロファイル３１は本発明の続柄ＳＴＲプロファイルに相当する。
【００２８】
子３におけるＳＴＲマーカー４のＤ３Ｓ１３５８では、第３ＳＴＲプロファイル３１である１６／１７型は、父親１の第１ＳＴＲプロファイル１１の１４／１６型からアリル「１６」を受け継ぎ、母親２の第２ＳＴＲプロファイル２１の１５／１７型からアリル「１７」を受け継いでいる。ＳＴＲマーカー４のｖＷＡにおいては、子３の第３ＳＴＲプロファイル３１である８／１３型は、父親１の第１ＳＴＲプロファイル１１の８／１１型からアリル「８」を受け継ぎ、母親２の第２ＳＴＲプロファイル２１の１０／１３型からアリル「１３」を受け継いでいる。
【００２９】
ＳＴＲマーカー４のＤ１６Ｓ５３９においては、子３の第３ＳＴＲプロファイル３１の１０／１５型は、父親１の第１ＳＴＲプロファイル１１の１０／１３型からアリル「１０」を受け継ぎ、母親２の第２ＳＴＲプロファイル２１の１４／１５型からアリル「１５」を受け継いでいる。ＳＴＲマーカー４のＣＳＦ１ＰＯでは、子３の第３ＳＴＲプロファイル３１の２１／２５型は、父親１の第１ＳＴＲプロファイル１１の２１／２４型からアリル「２１」を受け継ぎ、母親２の第２ＳＴＲプロファイル２１の２５／２６型からアリル「２５」を受け継いでいる。
【００３０】
第１ＳＴＲプロファイル１１の２つのアリルのうち子３に遺伝したアリルを第１特定ＳＴＲ１１Ａとし、第２ＳＴＲプロファイル２１の２つのアリルのうち子３に遺伝したアリルを第２特定ＳＴＲ２１Ａとし、第３ＳＴＲプロファイル３１の２つのアリルのうち父親１から受け継いだアリルを第１遺伝ＳＴＲ３１Ａとし、母親２から受け継いだアリルを第２遺伝ＳＴＲ３１Ｂとする。例えば、ＳＴＲマーカー４のＤ３Ｓ１３５８においては、第１ＳＴＲプロファイル１１のうち子３に遺伝したアリル「１６」が第１特定ＳＴＲ１１Ａとなり、第２ＳＴＲプロファイル２１のうち子３に遺伝したアリル「１７」が第２特定ＳＴＲ２１Ａとなり、第３ＳＴＲプロファイル３１のうち父親１から遺伝したアリル「１６」が第１遺伝ＳＴＲ３１Ａとなり、第３ＳＴＲプロファイル３１のうち母親２から遺伝したアリル「１７」が第２遺伝ＳＴＲ３１Ｂとなる。第１特定ＳＴＲ１１Ａ及び第２特定ＳＴＲ２１Ａは本発明の特定ＳＴＲに相当し、第１遺伝ＳＴＲ３１Ａ及び第２遺伝ＳＴＲ３１Ｂは本発明の遺伝ＳＴＲに相当する。
【００３１】
このように、Ｎｏ１〜１５までのすべてのＳＴＲマーカー４において、子３は父親１及び母親２からいずれかのアリルを受け継いでいることから、被験者同士のSTRプロフィールを用いて計算された父権肯定確率は９９．９９９％となっている。親子鑑定レポート１０では、ＳＴＲマーカー４と父親１の第１ＳＴＲプロファイル１１とを対応付けることにより父親１のＤＮＡプロフィールとなり、ＳＴＲマーカー４と母親２の第２ＳＴＲプロファイル２１とを対応付けることより母親２のＤＮＡプロフィールとなり、ＳＴＲマーカー４と子３の第３ＳＴＲプロファイル３１とを対応付けることにより子３のＤＮＡプロフィールとなる。これらのＳＴＲマーカー４と第１ＳＴＲプロファイル１１、第２ＳＴＲプロファイル２１、及び第３ＳＴＲプロファイル３１とを組み合わせたＤＮＡプロフィールは、個人情報保護法に定める個人情報の対象となるため、取扱いに留意する必要がある。
【００３２】
Ｎｏ.１６のＳＴＲマーカー４は性別を表しており、父親１は男性、母親２は女性、子３も女性であることを示している。
【００３３】
図２に、親子鑑定レポート１０に基づいて作成した家系図５を示す。家系図５では、父親１の情報を表示する父親表示部５１と、母親２の情報を表示する母親表示部５２と、子３の情報を表示する子表示部５３と、を有している。父親表示部５１は、父親１の写真５１Ａと、第１ＳＴＲプロファイル１１の一部が表示される第１ＳＴＲ表示部５４と、第１識別情報６１と、を備えている。家系図５は本発明のＤＮＡプロフィール表示体に相当し、家系図５に表示する表示方法が本発明のＤＮＡプロフィールの表示方法に相当する。父親表示部５１及び母親表示部５２は表示部に相当し、子表示部５３は関係者表示部に相当する。
【００３４】
第１ＳＴＲ表示部５４に表示される第１ＳＴＲプロファイル１１は、親子鑑定レポート１０において灰色で塗られたＮｏ.１〜４のＳＴＲマーカー４に対応する第１ＳＴＲプロファイル１１を、中央にＤＮＡの螺旋のイラストを挟むようにして表示している。換言すると、第１行目の「１４」及び「１６」は、親子鑑定レポート１０のＳＴＲマーカー４のＤ３Ｓ１３５８に対応しており、２行目の「８」及び「１１」はＳＴＲマーカー４のｖＷＡに対応している。第１ＳＴＲ表示部５４では、父親１の第１ＳＴＲプロファイル１１に関する情報を表示するがＳＴＲマーカー４に関する情報は一切表示されていないため、この数値がどのＳＴＲマーカー４に対応しているのかが不明である。また、各ＳＴＲプロファイルの数値は一般に１〜４０の範囲を取るため、各数値がどのＳＴＲマーカー４に対応するかは数値の大小みでは判断することができない。従って、第１ＳＴＲ表示部５４に表示された情報は単なる数値の羅列であって父親１の個人情報には該当しない。
【００３５】
第１ＳＴＲ表示部５４に表示された第１ＳＴＲプロファイル１１は、子３に遺伝されたアリルである複数の第１特定ＳＴＲ１１Ａを備えている。例えば、一番上の行の数値である「１４」及び「１６」のうち、「１６」が子３に遺伝していることから、「１６」が第１特定ＳＴＲ１１Ａとなる。同様に、二番目の行の数値である「８」と「１１」のうち、「８」が子３に遺伝していることから、「８」が第１特定ＳＴＲ１１Ａとなる。このように、第１ＳＴＲ表示部５４の数値と親子鑑定レポート１０とを対応付けると、一つの行に第１特定ＳＴＲ１１Ａが存在している。
【００３６】
第１ＳＴＲ表示部５４では、第１ＳＴＲプロファイル１１の数値は第１特定ＳＴＲ１１Ａを含むすべてが黒色で表されている。第１識別情報６１は、第１ＳＴＲ表示部５４の下方に表示されている。
【００３７】
母親表示部５２は、母親２の写真５２Ａと、第２ＳＴＲプロファイル２１の一部が表示される第２ＳＴＲ表示部５５と、第２識別情報６２と、を備えている。第２ＳＴＲ表示部５５に表示される第２ＳＴＲプロファイル２１は、親子鑑定レポート１０において灰色で塗られたＮｏ.１〜４のＳＴＲマーカー４に対応する第２ＳＴＲプロファイル２１を、中央にＤＮＡの螺旋のイラストを挟むようにして表示している。換言すると、第１行目の「１５」及び「１７」は、親子鑑定レポート１０のＳＴＲマーカー４のＤ３Ｓ１３５８に対応しており、２行目の「１０」及び「１３」はＳＴＲマーカー４のｖＷＡに対応している。第２ＳＴＲ表示部５５においても、母親２の第２ＳＴＲプロファイル２１に関する情報を表示するがＳＴＲマーカー４に関する情報は一切表示されていないため、この数値がどのＳＴＲマーカー４に対応しているのかが不明である。従って、第２ＳＴＲ表示部５５に表示された情報は単なる数値の羅列であって母親２の個人情報には該当しない。
【００３８】
第２ＳＴＲ表示部５５に表示された第２ＳＴＲプロファイル２１は、子３に遺伝されたアリルである複数の第２特定ＳＴＲ２１Ａを有している。例えば、一番上の行の数値である「１５」及び「１７」のうち、「１７」が子３に遺伝していることから、「１７」が第２特定ＳＴＲ２１Ａとなる。同様に、二番目の行の数値である「１０」と「１３」のうち、「１３」が子３に遺伝していることから、「１３」が第２特定ＳＴＲ２１Ａとなる。このように、第２ＳＴＲ表示部５５の数値と親子鑑定レポート１０と対応付けると、一つの行に第２特定ＳＴＲ２１Ａが存在している。
【００３９】
第２ＳＴＲプロファイル２１では、第２特定ＳＴＲ２１Ａを含むすべてのアリルが灰色で表されている。第２識別情報６２は、第２ＳＴＲ表示部５５の下方に表示されている。
【００４０】
子表示部５３は、子３の写真５３Ａと、第３ＳＴＲプロファイル３１の一部が表示される第３ＳＴＲ表示部５６と、第３識別情報６３と、を備えている。第３ＳＴＲ表示部５６に表示される第３ＳＴＲプロファイル３１は、親子鑑定レポート１０において灰色で塗られたＮｏ.１〜４のＳＴＲマーカー４に対応する第３ＳＴＲプロファイル３１を、中央にＤＮＡの螺旋のイラストを挟むようにして表示している。
【００４１】
第３ＳＴＲ表示部５６において、第１特定ＳＴＲ１１Ａに対応する第１遺伝ＳＴＲ３１Ａが第１特定ＳＴＲ１１Ａと同一の黒色で表され、第２特定ＳＴＲ２１Ａに対応する第２遺伝ＳＴＲ３１Ｂが第２特定ＳＴＲ２１Ａと同一の灰色で表されている。例えば、一番上の行の数値である「１６」及び「１７」のうち、「１６」は父親１の第１特定ＳＴＲ１１Ａから受け継いだものであるため第１遺伝ＳＴＲ３１Ａとなって黒で表記され、「１７」は母親２の第２特定ＳＴＲ２１Ａから受け継いだものであるため第２遺伝ＳＴＲ３１Ｂとって灰色で表記される。同様に、二番目の行の数値である「８」と「１３」のうち、「８」は父親１の第１特定ＳＴＲ１１Ａから受け継いだものであるため第１遺伝ＳＴＲ３１Ａとなって黒で表記され、「１３」は母親２から受け継いだものであるため第２遺伝ＳＴＲ３１Ｂとなって灰色で表記される。このように、第３ＳＴＲ表示部５６の数値と親子鑑定レポート１０と対応付けると、一つの行に第１遺伝ＳＴＲ３１Ａ及び第２遺伝ＳＴＲ３１Ｂが存在している。なお、親子鑑定レポート１０の結果に基づいて、第１遺伝ＳＴＲ３１Ａ及び第２遺伝ＳＴＲ３１Ｂの有無は決定される。
【００４２】
第３ＳＴＲ表示部５６においても、子３の第３ＳＴＲプロファイル３１に関する情報を表示するがＳＴＲマーカー４に関する情報は一切表示されていないため、この数値がどのＳＴＲマーカー４に対応しているのかが不明である。従って、第３ＳＴＲ表示部５６に表示された情報は単なる数値の羅列であって子３の個人情報には該当しない。第３識別情報６３は、第３ＳＴＲプロファイル３１の下方に表示されている。
【００４３】
家系図５に記載された第１識別情報６１、第２識別情報６２、及び第３識別情報６３に基づいて、別途ＰＣ端末等に保存されているＳＴＲマーカー４に関する情報と各ＳＴＲプロファイルとを照合することにより、父親１、母親２、及び子３のＤＮＡプロフィールを再構築することができる。これにより、第１識別情報６１、第２識別情報６２、及び第３識別情報６３に基づいて、親子鑑定レポート１０を再出力することができる。識別情報６は、複数の文字列や数字、記号などの組み合わせであってもよく、ＱＲコード（登録商標）のように画像イメージであってもよい。第１識別情報６１、第２識別情報６２、及び第３識別情報６３は、本発明の識別情報に相当する。
【００４４】
このような構成によると、父親表示部５１、母親表示部５２、又は子表示部５３には第１ＳＴＲプロファイル１１、第２ＳＴＲプロファイル２１、又は第３ＳＴＲプロファイル３１の少なくとも一部が表示されるがＳＴＲマーカー４は表示されていないため、各ＳＴＲプロファイルとＳＴＲマーカー４との対応関係が不明である。これにより、個人の全てのＤＮＡプロフィールを公開することなく、ＤＮＡプロフィールの一部を家系図５に表示することができる。
【００４５】
個人の特定を目的として行われるＳＴＲ解析結果を表示する従来の表記方法では、個人の１５種類前後のＳＴＲマーカーとＳＴＲプロファイルとを並べて表記するため、一見して全てのＤＮＡプロフィールが把握されてしまう。よって、個人情報の扱いとなり公表することができない。しかし、本件発明による家系図５ではＳＴＲマーカー４を表示していないため、個人情報の流出を抑制することができる。さらに、第１ＳＴＲプロファイル１１、第２ＳＴＲプロファイル２１、又は第３ＳＴＲプロファイル３１の少なくとも一部が表示されているため、第１識別情報６１、第２識別情報６２、及び第３識別情報６３に基づいて、各ＳＴＲプロファイルに別途用意したＳＴＲマーカー４を対応付けることにより、父親１、母親２、又は子３のＤＮＡプロフィールを特定することができる。
【００４６】
このような構成によると、第１特定ＳＴＲ１１Ａと第１遺伝ＳＴＲ３１Ａは数字が一致するとともに第２特定ＳＴＲ２１Ａと第２遺伝ＳＴＲ３１Ｂは数字が一致しているため、一見して父親１及び母親２と、子３と、が親子関係にあることが把握できる。
【００４７】
このような構成によると、父親表示部５１では第１特定ＳＴＲ１１Ａが第１遺伝ＳＴＲ３１Ａと同色の黒色で表示され、母親表示部５２では第２特定ＳＴＲ２１Ａが第２遺伝ＳＴＲ３１Ｂと同一色の灰色で表示されるため、一見して父親１及び母親２と子３とが親子関係にあることがわかる。同様に、子表示部５３では第１遺伝ＳＴＲ３１Ａが第１特定ＳＴＲ１１Ａと同一色の黒色で表示されるとともに第２遺伝ＳＴＲ３１Ｂが第２特定ＳＴＲ２１Ａと同一色の灰色で表示されるため、一見して子３が父親１及び母親２と親子関係にあることがわかる。これにより、各人の続柄を示すＤＮＡ型鑑定の結果を、ＤＮＡプロフィール表示体として、家系図５に表示することができる。
【００４８】
このような構成によると、父親表示部５１、母親表示部５２、及び子表示部５３に第１識別情報６１、第２識別情報６２、及び第３識別情報６３がそれぞれ表示されているため、たとえ家系図５にＳＴＲマーカー４が表示されていなくても、各識別情報に基づいてＳＴＲマーカー４に関する情報と組み合わせることで、父親１、母親２、及び子３のＤＮＡプロフィールを再構築することができ、各人の続柄関係を確認することができる。
【００４９】
次に、本発明の第２の実施の形態について、図３を参照して説明する。上述の実施の形態と略同一の構成については、同一の符号を付し説明を省略する。
【００５０】
第２の実施の形態のＤＮＡプロフィール表示体は同一人鑑定の鑑定書１０１であって、被験者の情報を表示する第１表示部１５１と、検体に関する情報を表示する第２表示部１５２と、を有している。鑑定書１０１は、被験者のＤＮＡプロフィールと、口腔上皮、血液、精液、毛髪、歯ブラシ、爪、耳垢などの検体から検出されたＤＮＡプロフィールが一致しているか否かを判定するための書類である。
【００５１】
第１表示部１５１は、被験者の写真５１Ａと、ＳＴＲプロファイル１１１の一部が表示される第１ＳＴＲ表示部１５４と、第４識別情報１６１と、を備えている。ＳＴＲプロファイル１１１は第１ＳＴＲプロファイル１１と略同一の構成となっており、図１におけるＮｏ．１から４のＳＴＲマーカー４に対応するＳＴＲプロファイル１１１が表示される。図１におけるＮｏ．１から４のＳＴＲマーカー４は、本発明の特定ＳＴＲマーカーに相当する。つまり、特定ＳＴＲマーカーとは、ＤＮＡプロフィール表示体に表示されているＳＴＲプロファイルに対応するＳＴＲマーカーのことである。
【００５２】
第１ＳＴＲ表示部１５４に表示されているＳＴＲプロファイル１１１のうち、第２表示部１５２の表示と一致するものは特定ＳＴＲ１１１Ａとなる。第１ＳＴＲ表示部１５４に表示されているすべてのＳＴＲプロファイル１１１が第２表示部１５２の表示と一致しているため、すべてのＳＴＲプロファイル１１１が特定ＳＴＲ１１１Ａとなり、一致率は９９．９９９％となる。
【００５３】
第２表示部１５２は、検体の写真１５２Ａと、比較ＳＴＲプロファイル１２１の一部が表示される第２ＳＴＲ表示部１５５と、第５識別情報１６２と、を備えている。比較ＳＴＲプロファイル１２１は、ＳＴＲプロファイル１１１の対応するＳＴＲマーカー４、具体的には、図１におけるＮｏ.１から４のＳＴＲマーカー４に対応するＳＴＲプロファイルである。つまり、ＳＴＲプロファイル１１１及び比較ＳＴＲプロファイル１２１は、いずれも特定ＳＴＲマーカーであるＮｏ．１からＮｏ．４のＳＴＲマーカー４に対応している。第４識別情報１６１及び第５識別情報１６２は、本発明の識別情報に相当する。
【００５４】
第２ＳＴＲ表示部１５５に表示されている比較ＳＴＲプロファイル１２１のうち、ＳＴＲプロファイル１１１と一致するものは一致ＳＴＲ１２１Ａとなる。第２ＳＴＲ表示部１５５に表示されているすべての比較ＳＴＲプロファイル１２１がＳＴＲプロファイル１１１の特定ＳＴＲ１１１Ａと一致しているため、すべての比較ＳＴＲプロファイル１２１が一致ＳＴＲ１２１Ａとなる。第１表示部１５１において特定ＳＴＲ１１１Ａは一致ＳＴＲ１２１Ａと同じ黒色で表記され、第２表示部１５２において一致ＳＴＲ１２１Ａは特定ＳＴＲ１１１Ａと同じ黒色で表記される。なお、比較ＳＴＲプロファイル１２１のうちＳＴＲプロファイル１１１と一致する一致ＳＴＲが存在しない場合、つまり検体が被験者のものではない場合には、比較ＳＴＲプロファイル１２１とＳＴＲプロファイル１１１とは異なる色で表示される。
【００５５】
このような構成によると、第１表示部１５１と第２表示部１５２において特定ＳＴＲ１１１Ａと一致ＳＴＲ１２１Ａとが視覚的対応付けによって黒色で表示されているため、一見して第１表示部１５１に表示されているＳＴＲプロファイル１１１と第２表示部１５２に表示されている比較ＳＴＲプロファイル１２１との一致性を把握することができる。例えば、鑑定書１０１を作成する際、ＳＴＲマーカー４及び特定ＳＴＲマーカーが表示されていないためＤＮＡプロフィールをすべて明らかにすることなくＳＴＲプロファイルの一致性を確認することができる。また、第１表示部１５１及び第２表示部１５２には、それぞれ第４識別情報１６１と、第５識別情報１６２と、が表示されているため、たとえ鑑定書１０１にＳＴＲマーカー４が表示されていなくても、各識別情報に基づいてＳＴＲマーカー４に関する情報と組み合わせることで、それぞれのＤＮＡプロフィールを再構築することができる。
【００５６】
次に、本発明の第３の実施の形態について、図４を参照して説明する。上述の実施の形態と略同一の構成については、同一の符号を付し、説明を省略する。
【００５７】
第３の実施の形態のＤＮＡプロフィール表示体は墓石２０１であって、故人のＤＮＡプロフィールが刻印される表示部２５１を有している。表示部２５１は、故人のＤＮＡプロフィールであるＳＴＲプロファイル２１１の少なくとも一部を表示するＳＴＲ表示部２５４を備えていて、ＳＴＲ表示部２５４の下部に第６識別情報２６１が刻印されている。ＳＴＲプロファイル２１１の表記方法は、第１の実施の形態の第１ＳＴＲプロファイル１１と略同一である。故人は、本発明の被験者に相当する。
【００５８】
墓石２０１には、ＳＴＲプロファイル２１１の一部が表示されているがＳＴＲプロファイル２１１に対応するＳＴＲマーカーは表示されていない。
【００５９】
このような構成によると、墓石２０１の表示部２５１には故人のＳＴＲプロファイル２１１の少なくとも一部が表示されるがＳＴＲマーカーは表示されていないため、表示部２５１からはＳＴＲプロファイル２１１とＳＴＲマーカーとの対応関係が不明である。これにより、故人の全てのＤＮＡプロフィールを公開することなく、ＤＮＡプロフィールを墓石２０１に表示することができる。また、第６識別情報２６１に基づいて、故人のＤＮＡプロフィールを再構築することができる。
【００６０】
次に、本発明の第４の実施の形態について、図５を参照して説明する。上述の実施の形態と略同一の構成については、同一の符号を付し、説明を省略する。
【００６１】
第４の実施の形態のＤＮＡプロフィール表示体は名刺３０１であって、個人のＤＮＡプロフィールが印刷される表示部３５１を有している。表示部３５１は、個人のＤＮＡプロフィールであるＳＴＲプロファイル３１１の少なくとも一部を表示するＳＴＲ表示部３５４と、ＳＴＲ表示部３５４の下部に表示された第７識別情報３６１と、を備えている。ＳＴＲプロファイル３１１の表記方法は、第１の実施の形態の第１ＳＴＲプロファイル１１と略同一となっている。個人は、本発明の被験者に相当する。
【００６２】
名刺３０１には、ＳＴＲプロファイル３１１の一部が表示されているがＳＴＲプロファイル３１１に対応するＳＴＲマーカーは表示されていない。
【００６３】
このような構成によると、名刺３０１の表示部３５１には個人のＳＴＲプロファイル３１１の少なくとも一部が表示されるがＳＴＲマーカーは表示されていないため、表示部３５１からはＳＴＲプロファイル３１１とＳＴＲマーカーとの対応関係が不明である。これにより、個人の全てのＤＮＡプロフィールを公開することなく、ＤＮＡプロフィールを名刺３０１に表示することができる。また、第７識別情報３６１に基づいて、個人のＤＮＡプロフィールを再構築することができる。
【００６４】
本発明によるＤＮＡプロフィール表示体及びＤＮＡプロフィールの表示方法は、上述した実施の形態に限定されず、特許請求の範囲に記載された発明の要旨の範囲内で種々の変更が可能である。
【００６５】
上述の実施の形態では、被験者を父親１、母親２、子３、として親子鑑定を行い、この親子鑑定レポート１０に基づいて家系図５を作成したが、これに限定されない。例えば、被験者を祖父、祖母、孫として、続柄関係の鑑定を行い、当該鑑定結果を基にＤＮＡプロフィール表示体を製作してもよい。
【００６６】
上述の実施の形態では、被験者を３人としが、これに限定されず２人又は４人以上であってもよい。例えば、祖父、祖母、父親、母親、子供、など３代以上にわたる家系図を作成してもよい。さらに、兄弟のみの家系図を作成してもよい。
【００６７】
上述の実施の形態では、第１特定ＳＴＲ１１Ａ及び第１遺伝ＳＴＲ３１Ａを黒色とし第２特定ＳＴＲ２１Ａ及び第２遺伝ＳＴＲ３１Ｂを灰色としたが、これに限定されない。例えば、色を変えるだけでなく、フォントを変える、文字サイズを変える、丸や四角で囲む、飾り文字など、両者の対応関係が視覚的に明確であればよい。また、特定ＳＴＲ１１１Ａ及び一致ＳＴＲ１２１Ａにおいても、同様に両者の対応関係が視覚的に明確であればよい。
【００６８】
上述の実施の形態では、遺伝子表示体の一例として家系図５、鑑定書１０１、墓石２０１、及び名刺３０１を用いたが、これに限定されない。例えば、アルバム、インテリア用品、ファッションアイテム、被服、時計、雑貨、タトゥー等であってもよい。インテリア用品では、複数の卵形オブジェから構成され、それぞれの卵形オブジェが父親、母親、子供に相当し、当該卵型オブジェにそれぞれのＳＴＲプロファイルを表示してもよい。
【００６９】
上述の実施の形態では、家系図５の父親表示部５１、母親表示部５２、及び子表示部５３、図３の第１表示部１５１、検体の第２表示部１５２、墓石２０１の表示部２５１、及び名刺３０１の表示部３５１には４行のＳＴＲプロファイルが表示されたが、これに限定されず、任意の行数を表示することができる。
【００７０】
上述の実施の形態では、第１ＳＴＲプロファイル１１、第２ＳＴＲプロファイル２１、及び第３ＳＴＲプロファイル３１を親子鑑定レポート１０のＳＴＲマーカー４に対応する順番で表記したが、これに限定されない。例えば、各ＳＴＲプロファイルを無作為に抽出し任意の順序で表記してもよい。この場合においても、識別情報６が表記されていることから、個人のＤＮＡプロフィールを特定することができる。他の実施の形態においても、同様に、ＳＴＲプロファイルを無作為に抽出しランダムに表記してもよい。
【符号の説明】
【００７１】
１      父親
２      母親
３      子
４      ＳＴＲマーカー
５      家系図
６      識別情報
１１、２１１、３１１    第１ＳＴＲプロファイル
１１Ａ  第１特定ＳＴＲ
２１    第２ＳＴＲプロファイル
２１Ａ  第２特定ＳＴＲ
３１    第３ＳＴＲプロファイル
３１Ａ  第１遺伝ＳＴＲ
３１Ｂ  第２遺伝ＳＴＲ
５１    父親表示部
５２    母親表示部
５３    子表示部
６１    第１識別情報
６２    第２識別情報
６３    第３識別情報
６４    第４識別情報
６５    第５識別情報
１０１  鑑定書
１１１  ＳＴＲプロファイル
１１１Ａ  特定ＳＴＲ
１２１  比較ＳＴＲプロファイル
１２１Ａ  一致ＳＴＲ
１５１  第１表示部
１５２  第２表示部
２０１  墓石
３０１  名刺
２５１、３５１  表示部
【図１】
2020203420.tif 000003
【図２】
2020203420.tif 000004
【図３】
2020203420.tif 000005
【図４】
2020203420.tif 000006
【図５】
2020203420.tif 000007